Podtech/llm-jp-corpus-v4-ja_patent huggingface dataset:
【手続補正書】
【提出日】平成17年2月23日(2005.2.23)
【手続補正１】
【補正対象書類名】特許請求の範囲
【補正対象項目名】全文
【補正方法】変更
【補正の内容】
【特許請求の範囲】
【請求項１】
ａ）第一の型部品と、
ｂ）第一の型部品に取り外し可能に固定され、それによって上部及び下部を持つ第二の型部品と、
ｃ）周縁を有する第一及び第二の型部品によって形成され、レンズ形成材料が充填されるレンズ形成キャビティであって、第一及び第二の型部品のそれぞれがレンズ形成キャビティの一部を形成する凹部を画定し、少なくとも充填の間に、周縁が水平に対してある角度で傾斜した面に位置することを特徴とするレンズ形成キャビティと、を含み
ｄ）レンズ形成キャビティの上部と連通する通気開口と、
ｅ）レンズ形成キャビティの一部と連通し、それを通してレンズ形成材料がレンズ形成キャビティに充填される充填開口とを更に含む、眼科用レンズを注型成形するための型。
【請求項２】
レンズ形成キャビティの水平に対する傾斜角が２０゜〜９０゜である、請求項１記載の型。
【請求項３】
充填開口が前記レンズ形成キャビティの下部と連通する、請求項１又は２記載の型。
【請求項４】
第一及び第二の型部品が、ナイフエッジ界面で接触してそれらの間にシールを形成する、請求項１〜３のいずれか１項記載の型。
【請求項５】
第一の型部品が、レンズ形成キャビティの下寄り部分を画定する凹んだチャンバを含み、第二の型部品が、レンズ形成キャビティの上寄り部分を画定する盛り上がった突起を含む、請求項１〜４のいずれか１項記載の型。
【請求項６】
凹んだチャンバが、レンズ形成キャビティの周縁面に対して傾斜した壁によって画定され、それにより、凹んだチャンバが截頭円錐部の形状を有し、盛り上がった突起が、凹んだチャンバ内に受けられるように適合された係合する形状を含む、請求項５記載の型。
【請求項７】
第一の型部品がほぼ球面形の凹部を画定し、第二の型部品がほぼ円形の縁を有し、第一及び第二の型部品が係合すると第二の型部品のほぼ円形の縁が第一の型部品のほぼ球面の凹部と接触してシールを形成する、請求項４記載の型。
【請求項８】
第一及び第二の型部品を組み立てた配置で合わせて保持するための手段をさらに含む、請求項１〜７のいずれか１項記載の型。
【請求項９】
第一及び第二の型部品の少なくとも一方が、余剰のレンズ形成材料を受けるためのあふれチャンバをさらに含む、請求項１〜３のいずれか１項記載の型。
【請求項１０】
通気開口が、しきい圧が加えられると前記レンズ形成キャビティの上部から流体を通過させる弁付き通気開口を含む、請求項１〜９のいずれか１項記載の型。
【請求項１１】
充填開口が、閉止位置と開放位置との間で動くことができる弁付き充填開口を含む、請求項３〜１０のいずれか１項記載の型。
【請求項１２】
眼科用レンズを注型成形する方法であって、
ａ）請求項１記載の型を用意する工程と、
ｂ）充填開口を介して、レンズ形成キャビティ内にレンズ形成材料を送り込む工程と、
ｃ）通気開口を介して前記レンズ形成キャビティを通気する工程とを含む方法。
【請求項１３】
レンズ形成材料をレンズ形成キャビティ内に送り込む工程が、型の下部にある開口を通じてレンズ形成材料を送り込む工程を含む、請求項１２に記載の方法。
【請求項１４】
レンズ形成材料をレンズ形成キャビティに送り込む工程が、型の上部にある開口を通してレンズ形成材料を送ることを含む、請求項１２記載の方法。
【請求項１５】
レンズ形成材料をレンズ形成キャビティに送り込む工程が、レンズ形成キャビティと連通したニードルを配置し、そのニードルを通してレンズ形成材料を送ることを含む、請求項１２〜１４のいずれか１項記載の方法。
【手続補正書】
【提出日】平成16年10月20日(2004.10.20)
【手続補正１】
【補正対象書類名】明細書
【補正対象項目名】請求項１
【補正方法】変更
【補正の内容】
【請求項１】  複数床下方流反応器において流体を混合する装置であって、
（ｉ）実質的に水平な収集トレイ；
（ｉｉ）収集トレイの下に配置される液体混合用渦巻きチャンバであって、その上端部は収集トレイの上側表面と直接流体連通し、その下端には出口開口を有し、内径の少なくとも０．３５倍の長さを有する該渦巻きチャンバ；及び
（ｉｉｉ）渦巻きチャンバの下側に位置する実質的に水平な分配トレイであって、液体及び気体の下側フロー用の複数の開口又は立下り管を備えた該トレイ；
を含む該装置。
【手続補正２】
【補正対象書類名】明細書
【補正対象項目名】請求項３
【補正方法】変更
【補正の内容】
【請求項３】  収集トレイが、収集トレイを通って延びる少なくとも１種の立下り管の形体を好ましくは有する気体通過用手段をさらに備え、該立下り管が収集トレイの上に位置する気体入口開口、及び収集トレイの下面のレベル又は下に位置する気体出口開口を備える請求項１又は２の混合装置。
【手続補正３】
【補正対象書類名】明細書
【補正対象項目名】請求項５
【補正方法】変更
【補正の内容】
【請求項５】  渦巻きチャンバと分配トレイとの間に実質的に水平な予備分配トレイをさらに含む請求項１〜４のいずれか１項の混合装置。
【手続補正４】
【補正対象書類名】明細書
【補正対象項目名】請求項６
【補正方法】変更
【補正の内容】
【請求項６】  垂直に離れた反応床、好ましくは触媒粒子の床を含み、隣接する反応床間に請求項１〜５のいずれか１項に規定された混合装置を有する複数床下方流反応器。
【手続補正書】
【提出日】平成15年11月27日(2003.11.27)
【手続補正１】
【補正対象書類名】特許請求の範囲
【補正対象項目名】全文
【補正方法】変更
【補正の内容】
【特許請求の範囲】
【請求項１】
患者に薬物を送出するための、埋め込み医療デバイス（ＩＭＤ）（１２）と組み合わされて操作可能な、外部に取り付けられた薬剤デリバリデバイス（２０）であって、
前記埋め込み医療デバイス（１２）において少なくとも１つの治療前イベントを監視する手段（７８、５４）と、
前記監視された治療前イベントが顕著であることを、前記埋め込み医療デバイスから前記外部に取り付けられた薬剤デリバリデバイス（２０）に伝える手段（２１）と、
前記少なくとも１つの監視された治療前イベントによって生ずる治療の送出とタイミングを合わせて前記薬剤の送出を始動する手段（７２、８０）と、
を備える薬剤デリバリデバイス。
【請求項２】
前記外部に取り付けられた薬剤デリバリデバイス内にあり、前記外部に取り付けられた薬剤デリバリデバイスと遠隔局の間の通信を可能にする通信システムを収容するケースをさらに備える請求項１に記載の薬剤デリバリデバイス。
【請求項３】
前記治療が、前記埋め込み医療デバイスから生成される、心臓に対するエネルギーショックの送出を含む請求項１または２に記載の薬剤デリバリデバイス。
【請求項４】
ショックの送出の前に、痛みの鎮痛薬および／またはディフィブリレーションしきい値低減薬物を送出する請求項２に記載の薬剤デリバリデバイス。
【請求項５】
前記薬物を格納する手段（６２、６４）と、
患者の表皮に取り付ける手段（６７）と、
前記ＩＭＤ（１２）と通信する手段（２１）と、
前記埋め込み医療デバイスが前記ショックを送出しようとしているという表示に応答して経皮的に前記薬物（６５、６５’）を吐出する手段と、
を含む請求項４に記載の薬剤デリバリデバイス。
【請求項６】
前記埋め込み医療デバイス（１２）が、ＣＨＦ(ＣＨＦ：cardiac heart failure)信号を供給する心不全監視デバイスである請求項１に記載の薬剤デリバリデバイス。
【請求項７】
前記ＣＨＦ信号が、心臓イベントの事前に選択された範囲の外にあるパラメータを含む請求項６に記載の薬剤デリバリデバイス。
【請求項８】
前記薬物の送出が、ＣＨＦ信号の前に、または、ＣＨＦ信号と同時にイネーブルされる請求項６に記載の薬剤デリバリデバイス。
【請求項９】
前記薬剤の送出が、専門薬剤用の２つ以上の格納部を含み、
前記専門薬剤が、
アヘン剤と、
非アヘン剤と、
ディフィブリレーションしきい値低減物質と、
ＣＨＦの処置用の物質とを含む請求項２に記載の薬剤デリバリデバイス。
【請求項１０】
前記薬剤の送出が、硫酸モルヒネおよびヒドロモルヒネ、α２アドレナリンアゴニストおよび神経特異的カルシウムチャネル遮断物質のうちの１つまたは複数の送出を含む請求項２に記載の薬剤デリバリデバイス。
【請求項１１】
前記ディフィブリレーションしきい値低減物質が、代替物としてＤ−ソタロール、プロカインアミドまたはキニジンを含むか、または、前記アヘン剤と前記非アヘン剤のうちの一方または両方と組み合わせられる請求項４に記載の薬剤デリバリデバイス。
【請求項１２】
前記通信手段（２１）が無線通信リンクである請求項１に記載の薬剤デリバリデバイス。
【請求項１３】
前記薬剤デリバリ始動手段が、さらに、信号が前記埋め込み医療デバイスから受信された時に患者内に薬剤を放出する自動手段を含む請求項１に記載の薬剤デリバリデバイス。
【請求項１４】
患者内への前記１つまたは複数の薬剤の前記放出を終了させる自動手段をさらに備える請求項１に記載の薬剤デリバリデバイス。
【請求項１５】
患者が、必要のあるたびに、または要求のあるたびに、前記薬剤放出を始動することを可能にするための、前記外部薬剤デリバリデバイス上に実施される半自動放出手段をさらに備える請求項１に記載の薬剤デリバリデバイス。
【請求項１６】
患者が、要求のあるたびに前記薬剤放出を終了させることを可能にするように実施される前記薬剤の半自動放出終了手段をさらに備える請求項１に記載の薬剤デリバリデバイス。
【請求項１７】
ステータス指示器および視覚表示をさらに備える請求項１に記載の薬剤デリバリデバイス。
【請求項１８】
前記ステータス指示器が、可聴信号および触覚インタフェースを提供する請求項１７に記載の薬剤デリバリデバイス。
【請求項１９】
患者が、制御器として前記外部に取り付けられた薬剤デリバリデバイスを用いてショックを終了させるかまたは遅延させることを可能にするオーバライド手段をさらに備える請求項３に記載の薬剤デリバリデバイス。
【請求項２０】
遠隔患者管理を可能にする遠隔監視およびプログラミングを提供する通信リンクをさらに含む請求項１に記載の薬剤デリバリデバイス。
【手続補正書】
【提出日】平成17年2月4日(2005.2.4)
【手続補正１】
【補正対象書類名】特許請求の範囲
【補正対象項目名】全文
【補正方法】変更
【補正の内容】
【特許請求の範囲】
【請求項１】
上面と底面とを有する基板を提供するステップと、
パターン化されたマスキング層を前記上面上の複数の領域に形成するステップであって、前記パターン化されたマスキング層の前記領域は、マイクロ突起物に対応する所定の寸法を有し、前記マスキング層の前記領域の周囲の前記基板の前記上面の露出領域を規定するステップと、
前記基板の前記上面の前記露出領域を、複数のマイクロ突起物を形成するのに十分な深さまでエッチングするステップと、
前記基板から前記マスキング層を除去して、前記マイクロ突起物を露出させるステップと、
を含むことを特徴とするマイクロ突起物アレイの形成方法。
【請求項２】
前記上面と前記マイクロ突起物との上に酸化物層を形成するステップと、
前記マイクロ突起物上の前記酸化物層の一部をエッチングして、前記マイクロ突起物の先端部分を露出させるステップと、
前記マイクロ突起物の前記露出した先端部分をエッチングして、前記マイクロ突起物の前記先端部分と前記ベースの前記底面との間に延びるチャネルを形成するステップと、
フォトレジスト層を、前記マイクロ突起物に適用するステップと、
をさらに含むことを特徴とする請求項１に記載の方法。
【請求項３】
マスキング層のついた上面を有するシリコン基板を提供するステップと、
前記マスキング層の一部を除去して、前記マスキング層の複数の実質的にリング形状の部分を前記上面上に形成するステップと、
前記シリコン基板の前記上面をエッチングして、前記各リング形状部分の中心を通って延びるチャネルを形成し、かつ、前記各リング形状部分の周囲に環状の柱を形成するステップと、
前記マスキング層の前記リング形状部分を除去して、マイクロ突起物アレイを形成するステップと、
を含むことを特徴とするマイクロ突起物アレイの形成方法。
【請求項４】
前記マスキング層は、前記基板上の酸化物層であることを特徴とする請求項３に記載の方法。
【請求項５】
前記マスキング層の前記リング形状部分を除去する前に、
前記リング形状の酸化物部分の周囲の前記シリコン基板をエッチングして、鋭利な先端を形成すること、
を特徴とする請求項３に記載の方法。
【請求項６】
上面と底面とを有する基板を提供するステップと、
複数の凹部を前記上面内に形成するステップであって、前記凹部は、前記上面の平面に対して傾斜した表面を規定し、前記傾斜した表面は鋭利な先端のアレイを形成するステップと、
前記鋭利な先端の周囲の前記基板の一部を除去して、前記鋭利な先端によって形成される外端を有するマイクロ突起物アレイを形成するステップと、
を含むことを特徴とするマイクロ突起物アレイの形成方法。
【請求項７】
前記基板は、シリコン、酸化ケイ素、窒化ケイ素、エポキシ樹脂、ニッケル、およびアルミニウムからなる群から選択される材料であることを特徴とする請求項６に記載の方法。
【請求項８】
前記基板はポリシリコンまたはアモルファスシリコンであることを特徴とする請求項６に記載の方法。
【請求項９】
前記傾斜した表面は、異方性エッチング剤を前記基板の前記上面に適用し、傾斜の付いた表面を前記基板の結晶面内に形成することによって、形成されることを特徴とする請求項６に記載の方法。
【請求項１０】
前記異方性エッチング剤は、水酸化カリウム、エチレンジアミンピロカテコール、水酸化アンモニウム、水酸化ナトリウム、ＣｓＯＨ、およびＮ2Ｈ4からなる群から選択されることを特徴とする請求項９に記載の方法。
【請求項１１】
前記傾斜した表面は、等方性エッチング剤を前記基板の前記上面に適用することによって形成されることを特徴とする請求項６に記載の方法。
【請求項１２】
前記等方性エッチング剤は、フッ化水素酸と酢酸と硝酸との混合物を含むことを特徴とする請求項１１に記載の方法。
【請求項１３】
前記マイクロ突起物アレイは、前記鋭利な先端の周囲の前記基板の前記上面を機械加工することによって形成されることを特徴とする請求項６に記載の方法。
【請求項１４】
上面と底面とを有する基板を提供するステップと、
前記基板の前記上面上にマイクロ突起物アレイを形成するステップであって、前記マイクロ突起物は上面を有するステップと、
前記各マイクロ突起物の前記上面上に少なくとも１つの傾斜を形成するステップと、
を含むことを特徴とするマイクロ突起物アレイの形成方法。
【請求項１５】
前記マイクロ突起物は外側表面を有し、前記傾斜を形成する前記ステップは、
非酸化層を前記マイクロ突起物の前記外側表面上に形成することと、
酸化物層を前記マイクロ突起物の前記上面上に形成することと、
前記非酸化層をエッチングして前記マイクロ突起物上に露出領域を形成することと、
前記露出領域内の前記マイクロ突起物をエッチングして前記傾斜を形成することと、
を含むことを特徴とする請求項１４に記載の方法。
【請求項１６】
非エッチング層を前記非酸化層上に適用することをさらに含むことを特徴とする請求項１５に記載の方法。
【請求項１７】
前記非酸化層を除去することを含むことを特徴とする請求項１５に記載の方法。
【請求項１８】
前記マイクロ突起物は、前記基板を選択エッチングすることによって形成されることを特徴とする請求項１４に記載の方法。
【請求項１９】
前記傾斜は、前記基板を選択エッチングすることによって形成されることを特徴とする請求項１４に記載の方法。
【請求項２０】
前記傾斜は、前記マイクロ突起物を選択エッチングすることによって形成されることを特徴とする請求項１４に記載の方法。
【手続補正書】
【提出日】平成17年1月18日(2005.1.18)
【手続補正１】
【補正対象書類名】特許請求の範囲
【補正対象項目名】全文
【補正方法】変更
【補正の内容】
【特許請求の範囲】
【請求項１】
軸と、対向した軸方向に隔置された主面と、所定の直径と、前記主面間に延在する前記軸周りの周面とを有する弾性的に圧縮可能なフォームのポリマーフォームディスクと、
軸と、対向した第１および第２の軸方向に隔置された主面と、前記主面間の前記軸周りの周面と、前記フォームディスクより大きい直径とを有し、第２の主面が、前記フォームディスクの一方の主面に接着され、前記ディスクが同軸にあり、対向した主面を有するバッキング材層と、研磨材層と、前記フォームディスクの反対側にある前記バッキング材層の主面に沿って、前記研磨材層を接着する樹脂層とからなり、前記研磨材層が第１の主面を規定する、研磨ディスクとからなるサンディングディスクであって、
前記研磨ディスクが、前記フォームディスクより小さい外径を有する円形中央部を備え、前記中央部に沿った前記主面の部分が、略平面であり、前記研磨ディスクが、前記中央部から前記研磨ディスクの前記周面に延在する環状周囲部を備え、前記環状周囲部に沿った前記第１の主面の部分が、略円筒形凸状であり、前記平面円形中央部に沿った前記第１の主面の部分が、前記環状周囲部に沿った前記第１の主面の部分の隣接した部分に概ね接し、前記環状周囲部の湾曲により、前記フォームディスクを通る平面に前記研磨ディスクの前記周面が位置し、
前記環状周囲部の周りの各位置における、前記周囲部軸の周りの前記研磨ディスクの環状周囲部上の前記第１の主面の部分の半径が、約５から１８センチメートル（約２から７インチ）の範囲内である、サンディングディスク。
【請求項２】
軸と、対向した軸方向に隔置された主面と、所定の直径と、前記主面間に延在する前記軸周りの周面とを有する弾性的に圧縮可能なフォームのポリマーフォームディスクを提供するステップと、
軸と、対向した第１および第２の軸方向に隔置された略平面の主面と、前記主面間の前記軸周りの周面と、前記フォームディスクより大きい直径とを有し、対向した主面を有するバッキング材層と、研磨材層と、布の層の主面の１つに沿って、前記研磨材層を接着する樹脂層とからなり、前記研磨材層が、第１の主面を規定する研磨ディスクを提供するステップと、
ホットメルト接着剤のシートを提供するステップと、
前記ディスクを同軸にして、前記研磨ディスクの第２の主面と前記フォームディスクの一主面の間に前記ホットメルト接着剤のシートを配置するステップと、
前記配置された研磨ディスク、ホットメルト接着剤のシート、およびフォームディスクを共に加熱し、プレスして、前記ホットメルト接着剤のシートを軟化させ、前記サンディングディスクが冷却すると、前記ホットメルト接着剤のシートが、前記研磨ディスクおよびフォームディスクを共に接着するステップと、
前記研磨ディスクの平面中央部から前記研磨ディスクの周面に延在する前記研磨ディスクの環状周囲部を加熱するステップと、
前記研磨ディスクが冷却すると、前記研磨ディスクのその環状周囲部に沿った前記研磨材層によって規定された前記第１の主面の部分が、略円筒形凸状であり、前記円形平面中央部に沿った前記第１の主面の部分が、前記環状周囲部に沿った前記第１の主面の隣接した部分に概ね接しているように、前記研磨ディスクの加熱された環状周囲部を再成形するステップとを含む、サンディングディスクを形成する方法であって、
前記再成形するステップの後、前記環状周囲部の周りの各位置における、前記周囲部軸の周りの前記研磨ディスクの環状周囲部上の前記第１の主面の部分の半径が、約２から７インチ（約５から１８センチメートル）の範囲内になるように、前記研磨ディスクの環状周囲部上の前記第１の主面の部分が成形されている、方法。
【手続補正書】
【提出日】平成17年1月13日(2005.1.13)
【手続補正１】
【補正対象書類名】特許請求の範囲
【補正対象項目名】全文
【補正方法】変更
【補正の内容】
【特許請求の範囲】
【請求項１】
多数の最適に配向された、成形された研磨粒子がその中に配置されたシート状マトリックスからなる研磨物品を製造する方法であって、各研磨粒子が、成形された底端と、反対側の成形された研磨端を有し、前記方法が、
ａ．多数の突起を含む接触面を有する第１の工具と、合わせ面を有する第２の工具とを含む基材形成装置を提供するステップであって、前記工具の接触面および合わせ面が、合わせられると、前記基材を変形して、前記基材に穴のあいた凹部を設けることができ、各凹部で、前記研磨粒子の１つの底端を受け、前記研磨粒子をその中に最適に配向させることができるステップと、
ｂ．金属箔上に支持された層において焼結可能な粒子および有機バインダからなる、エンボス加工可能な、穴をあけられる、焼結可能なシート状基材を提供するステップと、
ｃ．前記シート状基材を、前記第１および第２の工具の接触面および合わせ面と接触させて、前記金属箔によって与えられる裏面と、多数の凹部を有することを特徴とする反対側の上面とを有する、エンボス加工された、穴のあいた、焼結可能なシートを提供するステップであって、各凹部が、前記成形された研磨粒子の成形された底端を受け、前記研磨粒子をその中に最適に配向させることができる形状と、前記凹部内で前記シート状基材を通る穴とを有することを特徴とし、前記穴が、前記研磨粒子を通さないサイズであるステップと、
ｄ．実質的に、前記エンボス加工された、穴のあいた、焼結可能なシートの各凹部に、１つの研磨粒子があるように、前記凹部内に研磨粒子を分配するステップと、
ｅ．前記研磨粒子を収容している凹部内の各研磨粒子を最適に配向させるステップと、
ｆ．前記エンボス加工された、穴のあいた、焼結可能なシートの上面および裏面間で圧力差を生じさせるステップであって、前記凹部内に位置しない少なくとも、前記研磨粒子の大部分を、前記エンボス加工された、穴のあいた、焼結可能なシートの上面から除去しながら、前記裏面に、より低い圧力を加えて、配向された研磨粒子の各々を凹部内に保持するステップと、
ｇ．前記研磨粒子が最適に配向された後、前記凹部内の前記研磨粒子を一時的に結合するステップと、
ｈ．前記研磨粒子を支持する、エンボス加工された、穴のあいた、焼結可能なシートを、焼結温度で加熱し、冷却すると、研磨端が露出した、結合された、最適に配向された、成形された研磨粒子を支持する焼結したマトリックスを含む研磨製品を提供するステップと、
ｉ．前記研磨製品を冷却するステップと、
を含む方法。
【請求項２】
ａ．多数の最適に配向された、成形された研磨粒子と、
ｂ．凹部を含む上面を有する、焼結したシート状マトリックスと、
ｃ．前記研磨物品に下面を与える、前記マトリックスに結合された金属箔焼結物を含む研磨物品であって、
各研磨粒子が、成形された底端と、反対側の成形された研磨端を有し、
実質的に、各凹部が、研磨粒子の成形された底端をその中に収容かつ結合し、一方、前記研磨粒子の反対側の研磨端が、露出し、最適な配向で整列される、研磨物品。
【請求項３】
多数の最適に配向された、成形された研磨粒子がその中に配置されたシート状マトリックスからなる研磨物品を製造する方法であって、各研磨粒子が、成形された底端と、反対側の成形された研磨端とを有し、前記方法が、
ａ．多数の突起を含む接触面を有する第１の工具と、合わせ面を有する第２の工具とを含む基材形成装置を提供するステップであって、前記工具の接触面および合わせ面が、合わせられると、前記基材を変形して、前記基材に穴のあいた凹部を設けることができ、各凹部で、前記研磨粒子の１つの底端を受け、前記研磨粒子をその中に最適に配向させることができるステップと、
ｂ．エンボス加工可能な、穴をあけられるシート状基材を提供するステップと、
ｃ．前記シート状基材を、前記第１および第２の工具の接触面および合わせ面と接触させて、裏面と、多数の凹部を有することを特徴とする反対側の上面とを有する、エンボス加工された、穴のあいたシートを提供するステップであって、各凹部が、前記成形された研磨粒子の成形された底端を受け、前記研磨粒子をその中に最適に配向させることができる形状と、前記凹部内で前記シート状基材を通る穴とを有することを特徴とし、前記穴が、前記研磨粒子を通さないサイズであるステップと、
ｄ．実質的に、前記エンボス加工された、穴のあいたシートの各凹部に、１つの研磨粒子があるように、前記凹部内に研磨粒子を分配するステップと、
ｅ．前記研磨粒子を収容している凹部内の各研磨粒子を最適に配向させるステップと、
ｆ．前記エンボス加工された、穴のあいたシートの上面および裏面間で圧力差を生じさせるステップであって、前記凹部内に位置しない少なくとも前記研磨粒子の大部分を、前記エンボス加工された、穴のあいたシートの上面から除去しながら、前記裏面に、より低い圧力を加えて、配向された研磨粒子の各々を凹部内に保持するステップと、
ｇ．前記研磨粒子が最適に配向された後、前記凹部内の前記研磨粒子を永久的に結合して、研磨端が露出した、最適に配向された、成形された研磨粒子を含む研磨製品を提供するステップと、を含む方法。
【請求項４】
ａ．約１．５より大きいアスペクト比と、成形された底端と、反対側の成形された研磨端を有する、最適に配向された、成形された多数の研磨粒子と、
ｂ．焼結可能な粒子および有機バインダからなり、実質的に、研磨粒子の成形された底端をその中に収容かつ結合し、一方、前記研磨粒子の反対側の研磨端を露出させ、最適な配向に整列された凹部を有する上面、を有する、焼結可能なシート状マトリックスとを、
有する研磨物品。
【手続補正書】
【提出日】平成17年4月15日(2005.4.15)
【手続補正１】
【補正対象書類名】特許請求の範囲
【補正対象項目名】全文
【補正方法】変更
【補正の内容】
【特許請求の範囲】
【請求項１】
インクジェット印刷システムが収容ステーションを備え、該収容ステーションが流体入口およびシール構造を備え、該収容ステーションによって収容されるようになっている交換式インク容器であって、
流体出口および該流体出口に近接したシール表面を画定する槽と、
前記シール表面を湿潤させるように前記槽内に含まれ、懸濁液中に保持された固体粒子を含み、シール表面とシール構造との間の前記固体粒子が固化することにより前記シール表面と前記シール構造との間の欠陥をシールするように作用するシール材と
を備えている、インクジェット印刷システムにインクを供給するための交換式インク容器。
【請求項２】
前記槽内に含まれた前記シール材はある量のインクである、請求項１に記載の交換式インク容器。
【請求項３】
前記インクジェット印刷システムが収容ステーションを備え、該収容ステーションが流体入口およびシール構造を備え、該収容ステーションによって収容されるようになっている交換式インク容器であって、
インクを保持するために内部に配置された毛管貯蔵部材を備え、流体出口および該流体出口に近接したシール表面を画定する貯蔵槽と、
中に粒子が懸濁し、前記毛管貯蔵部材内に保持され、前記粒子がシール表面とシール構造との間で固化して前記シール表面と前記シール構造との間の欠陥をシールするように作用するインクと
を備えている、インクジェット印刷システムにインクを供給するための交換式インク容器。
【請求項４】
前記粒子は顔料粒子である、請求項１又は３に記載の交換式インク容器。
【請求項５】
前記粒子はカーボンブラック粒子である、請求項１又は３に記載の交換式インク容器。
【請求項６】
前記インクはさらに分散剤を含有している、請求項１又は３に記載の交換式インク容器。
【請求項７】
前記流体出口に近接した前記シール表面は、前記インク容器内に貯蔵された前記インクによって湿潤されるように構成されている、請求項３に記載の交換式インク容器。
【請求項８】
前記シール表面は、前記インクにより湿らされて湿潤性が高くなるように構成されている、請求項１又は３に記載の交換式インク容器。
【請求項９】
交換式インク容器のシール表面を、前記交換式インク容器内に収容されている懸濁液中に保持された固体粒子により規定されるシール材で湿潤させることと、
前記シール表面を前記シール構造と係合させることであって、それによって前記シール材が前記シール表面と前記シール構造との間に配置されることと、
前記固体粒子が前記懸濁液中で懸濁状態から固化することにより、前記シール表面と前記シール構造との間の欠陥をシールすること
を含む、交換式インク容器とシール構造との間にシールを形成する方法。
【請求項１０】
前記シール材は、前記交換式インク容器内に収容されているインクである、請求項９に記載のシールを形成する方法。
【請求項１１】
インクジェット印刷システムが流体入口およびシール構造を有し、このインクジェット印刷システムに収容されるようになっているインクジェット印刷システム用の交換式印刷部品であって、
前記インクジェット印刷システムの対応するシール構造に係合するように構成されたシール表面を有し、
前記シール表面は、懸濁液中に保持されたシール表面と対応するシール構造の間の固体粒子の固化によって構成されるシール材が、前記シール表面と対応する前記シール構造との間の欠陥をシールするように湿潤されるようになっている、インクジェット印刷システム用の交換式印刷部品。
【手続補正書】
【提出日】平成16年12月14日(2004.12.14)
【手続補正１】
【補正対象書類名】特許請求の範囲
【補正対象項目名】全文
【補正方法】変更
【補正の内容】
【特許請求の範囲】
【請求項１】
有利に透明な、場合により既に１つ又は複数の反射層で被覆された基板を有し、この基板の表面上に光により書き込み可能な情報層、場合により１つ又は複数の反射層及び場合により保護層又は他の基板又はカバー層が設けられていて、青色光又は赤色光、有利にレーザー光により書き込み及び読み出すことができ、前記の情報層は吸光性化合物と場合により結合剤とを含有する光学データ記録媒体において、吸光性化合物として少なくとも１種のヘミシアニン色素を使用することを特徴とする、光学データ記録媒体。
【請求項２】
吸収極大λｍａｘ２が４２０〜６５０ｎｍの範囲内にあるヘミシアニンの、ライトワンス型光学データ記録媒体の情報層中での使用。
【請求項３】
データ記録媒体を青色レーザー光で書き込み及び読み出しする、ライトワンス型光学データ記録媒体の情報層中でのヘミシアニンの使用。
【請求項４】
有利に透明な、場合により既に１つの反射層で被覆された基板を、場合により適当な結合剤及び添加剤及び場合により適当な溶剤と組み合わせたヘミシアニンで被覆し、場合により反射層、他の中間層及び場合により保護層又は他の基板又はカバー層を設けることを特徴とする、請求項１記載の光学データ記録媒体の製造方法。
【請求項５】
青色光又は赤色光、特に青色光、特に青色レーザー光で書き込まれた、請求項１記載の光学データ記録媒体。
【手続補正書】
【提出日】平成16年12月16日(2004.12.16)
【手続補正１】
【補正対象書類名】特許請求の範囲
【補正対象項目名】全文
【補正方法】変更
【補正の内容】
【特許請求の範囲】
【請求項１】
有利に透明な、場合により既に１つ又は複数の反射層で被覆された基板を有し、この基板の表面上に光により書き込み可能な情報層、場合により１つ又は複数の反射層及び場合により保護層又は他の基板又はカバー層が設けられていて、青色光、赤色光又は赤外線、有利にレーザー光により書き込み及び読み出すことができ、前記の情報層は吸光性化合物及び場合により結合剤を含有する光学データ記録媒体において、吸光性化合物が少なくとも２つの同じ又は異なる発色中心を有し、かつ３４０〜８２０ｎｍの範囲内に少なくとも１つの吸収極大を有することを特徴とする、光学データ記録媒体。
【請求項２】
吸光性化合物が少なくとも２つの同じ又は異なる発色中心を有することを特徴とする、ライトワンス型光学データ記録媒体の情報層中での、３４０〜８２０ｎｍの吸収極大λｍａｘ１を有する吸光性化合物の使用。
【請求項３】
有利に透明な、場合により既に１つの反射層で被覆された基板を、場合により適当な結合剤及び添加剤及び場合により適当な溶剤と組み合わせた吸光性化合物で被覆し、場合により反射層、他の中間層及び場合により保護層又は他の基板又はカバー層を設けることを特徴とする、請求項１記載の光学データ記録媒体の製造方法。
【請求項４】
青色光、赤色光又は赤外線、特にレーザー光で書き込まれた、請求項１記載の光学データ記録媒体。
【手続補正書】
【提出日】平成16年12月14日(2004.12.14)
【手続補正１】
【補正対象書類名】特許請求の範囲
【補正対象項目名】全文
【補正方法】変更
【補正の内容】
【特許請求の範囲】
【請求項１】
有利に透明で、場合によっては既に１つまたはそれ以上の反射層で被覆された支持体を含み、この支持体の表面上には、光で書込み可能な情報層、場合によっては１つまたはそれ以上の反射層および場合によっては保護層または他の支持体または被覆層が施こされており、赤外光、有利にレーザー光、特に有利に７５０〜８００ｎｍ、殊に７７０〜７９０ｎｍの範囲内の波長を有する光で書込みかつ読取ることができ、情報層が吸光性化合物および場合によっては結合剤を含む、光学データ記録媒体において、吸光性化合物として少なくとも１つのＣｏ（ＩＩＩ）−フタロシアニンを使用し、この場合Ｃｏ金属中心は、互いに無関係にＣＮ、ＳＣＮ、アルコキシまたはアルキルチオを表わす、２個の軸方向の置換基Ｒ１およびＲ２を有することを特徴とする、光学データ記録媒体。
【請求項２】
請求項１記載の光学データ記録媒体の製造法において、透明な支持体上に光で書込み可能な情報層を、式ＩのＣｏ−フタロシアニン錯体での被覆によって、場合によっては適当な結合剤、添加剤および適当な溶剤との組合せで施こし、さらに場合によっては反射層、場合によっては他の中間層および場合によっては保護層を設けることを特徴とする、請求項１記載の光学データ記録媒体の製造法。
【請求項３】
光学データ記録媒体の光で書込み可能な情報層中での吸光性化合物としての式（Ｉ）
【化１】
2004524194.tif 000001
〔式中、
ＣｏＰｃは、コバルト−（ＩＩＩ）−フタロシアニンを表わし、この場合Ｒ１およびＲ２は、軸方向の基であり、基Ｒ３〜Ｒ６は、フタロシアニンの置換基に相当し、その際
Ｒ１およびＲ２は、互いに無関係にＣＮ、ＳＣＮ、アルコキシまたはアルキルチオを表わし、
Ｒ３、Ｒ４、Ｒ５およびＲ６は、互いに無関係にハロゲン、シアノ、アルキル、アリール、アルキルアミノ、ジアルキルアミノ、アルコキシ、アリールオキシ、アリールチオ、アルキルチオ、ＳＯ３Ｈ、ＳＯ２ＮＲ７Ｒ８、ＣＯ２Ｒ１２、ＣＯＮＲ７Ｒ８、ＮＨ−ＣＯＲ１２または基−（Ｂ）ｍ−Ｄを表わし、
Ｂは、直接結合、ＣＨ２、ＣＯ、ＣＨ（アルキル）、Ｃ（アルキル）２、ＮＨ、Ｓ、Ｏまたは−ＣＨ＝ＣＨ−の群からの橋かけ員を表わし、この場合（Ｂ）ｍは、橋かけ員Ｂの化学的に重要な組合せを表わし、ｍは、１〜１０、有利にｍは、１であり、
Ｄは、式
【化２】
2004524194.tif 000002
で示されるレドックス系の単価基を表わすかまたは
メタロセニル基またはメタロセニルカルボニル基を表わし、
この場合金属中心としては、チタン、マンガン、鉄、ルテニウムまたはオスミウムがこれに該当し、
Ｘ１およびＸ２は、互いに無関係にＮＲ'Ｒ''、ＯＲ''またはＳＲ''を表わし、
Ｙ１は、ＮＲ'、ＯまたはＳを表わし、
Ｙ２は、ＮＲ'を表わし、
ｎは、１〜１０を表わし、
Ｒ'およびＲ''は、互いに無関係に水素、アルキル、シクロアルキル、アリールまたはヘテロアリールを表わすかまたは直接結合または
【化３】
2004524194.tif 000003
のＣ原子の１つに対して１つの橋を形成し、
ｗ、ｘ、ｙおよびｚは、互いに無関係に０〜４を表わし、ｗ＋ｘ＋ｙ＋ｚは、１２以下であり、
Ｒ７およびＲ８は、互いに無関係にアルキルアミノ、ヒドロキシアルキルアミン、ジアルキルアミノ、ビスヒドロキシアルキルアミノ、アリールアミノを表わすかまたはＲ７およびＲ８は、これらが結合しているＮ原子と一緒になって、場合によっては他のヘテロ原子、殊にＯ、ＮおよびＳの群からのヘテロ原子が関与しながら複素環式の５員、６員または７員の環を形成し、この場合ＮＲ７Ｒ８は、殊にピロリジノ、ピペリジノまたはモルホリノを表わし、
Ｋａｔ＋は、陽イオンを表わし、
Ｒ１２は、アルキル、アリール、ヘテロアリールまたは水素を表わす〕で示されるＣｏ−フタロシアニンの使用。
【請求項４】
式Ｉｃ
【化４】
2004524194.tif 000004
〔式中、
ハロゲンは、塩素、臭素または弗素を表わし、
アルコキシは、置換されていてもよいＣ１〜Ｃ８−アルコキシを表わし、ａは、０〜４の数を表わし、ｂは、０〜１０の数を表わし、ｃは、０〜８の数を表わし、この場合ａ、ｂおよびｃからの総和は、１２以下であり、
Ｒ１、Ｒ２、Ｒ７、Ｒ８、Ｋａｔ＋およびＣｏＰｃは、上記の意味を表わす〕で示される化合物。
【請求項５】
請求項４記載の化合物の製造法において、式ＳＯ２ＮＲ７Ｒ８〔式中、Ｒ７およびＲ８は、上記の意味を有する〕のスルホンアミド基で置換されかつ場合によってはハロゲンおよび／またはアルコキシで置換されたＣｏ−フタロシアニンを酸化し、ＫａｔＣＮ、ＫａｔＳＣＮ、ＫａｔアルコキシまたはＫａｔアルキルチオと反応させることを特徴とする、請求項４記載の化合物の製造法。
【請求項６】
ａ）Ｃｏ−金属中心が互いに無関係にＣＮ、ＳＣＮ、アルコキシまたはアルキルチオを表わす２個の軸方向の置換基Ｒ１およびＲ２を有するＣｏ（ＩＩＩ）−フタロシアニンおよび
ｂ）ａ）とは異なるフタロシアニン、殊にＣｏ不含のフタロシアニンを含有する混合物。
【手続補正２】
【補正対象書類名】明細書
【補正対象項目名】０００８
【補正方法】変更
【補正の内容】
【０００８】
【化２】
2004524194.tif 000005
で示されるレドックス系の単価基を表わすかまたは
メタロセニル基またはメタロセニルカルボニル基を表わし、この場合金属中心としては、チタン、マンガン、鉄、ルテニウムまたはオスミウムがこれに該当し、
Ｘ１およびＸ２は、互いに無関係にＮＲ'Ｒ''、ＯＲ''またはＳＲ''を表わし、
Ｙ１は、ＮＲ'、ＯまたはＳを表わし、Ｙ２は、ＮＲ'を表わし、
ｎは、１〜１０を表わし、
Ｒ'およびＲ''は、互いに無関係に水素、アルキル、シクロアルキル、アリールまたはヘテロアリールを表わすかまたは直接結合または
【手続補正書】
【提出日】平成16年12月15日(2004.12.15)
【手続補正１】
【補正対象書類名】特許請求の範囲
【補正対象項目名】全文
【補正方法】変更
【補正の内容】
【特許請求の範囲】
【請求項１】
有利に透明な、場合により既に１つ又は複数の反射層で被覆された基板を有し、この基板の表面上に光により書き込み可能な情報層、場合により１つ又は複数の反射層及び場合により保護層又はもう１つの基板又はカバー層が設けられていて、青色光又は赤色光、有利にレーザー光により書き込み及び読み出すことができ、前記の情報層は吸光性化合物及び場合により結合剤を含有する光学データ記録媒体において、吸光性化合物として、および場合により結合剤を含有し、吸光性化合物として少なくとも１種のトリアザシアニン色素が使用されていることを特徴とする光学データ記録媒体。
【請求項２】
トリアザシアニンが４２０〜６５０ｎｍの範囲内の吸収極大λｍａｘ２を有する、ライトワンス型光学データ記録媒体の情報層におけるトリアザシアニンの使用。
【請求項３】
データ記録媒体が青色レーザー光で書き込まれ、かつ読み出される、ライトワンス型光学データ記録媒体の情報層におけるトリアザシアニンの使用。
【請求項４】
請求項１記載の光学データ記録媒体の製造法において、有利に透明な、場合により反射層で既に被覆された基板をトリアザシアニンで、場合により適当な結合剤及び添加剤及び場合により適当な溶剤と組み合わせて被覆し、かつ場合により反射層、他の中間層及び場合により保護層又はもう１つの基板又はカバー層を設けることを特徴とする製造方法。
【請求項５】
青色光又は赤色光、殊に青色光、殊に青色レーザー光で書き込まれた、請求項１記載の光学データ記録媒体。
【手続補正書】
【提出日】平成15年12月24日(2003.12.24)
【手続補正１】
【補正対象書類名】特許請求の範囲
【補正対象項目名】全文
【補正方法】変更
【補正の内容】
【特許請求の範囲】
【請求項１】
定量の乾燥した飲料素材と定量の熱した液体とを混ぜて、できあがった飲料を生成する単一給仕型飲料抽出器において使用され、できあがった飲料を受容し上記熱した液体の注入を受け上記できあがった飲料を外に出す再使用可能型飲料フィルタカートリッジであって、
頂部開口及び閉じ底を有するカップ状ハウジングと、
上記閉じ底におけるアウトレットポートと、
上記頂部開口に通ずる第１の室と上記アウトレットポートに通ずる第２の室とにハウジング内を区画するフィルタであって、上記第１の室が上記飲料素材を受容するよう構成及び寸法設定されているフィルタと、
蓋と、
取り外し可能なよう上記蓋を上記ハウジングに対して上記頂部開口が閉ざされる位置に保持する手段と、
上記第１の室の中で飲料素材と混ざるよう熱した液体を上記第１の室に入れるための上記蓋におけるインレットポートとを備え、上記フィルタが、できあがった飲料を透過して第２の室へと流し上記アウトレットポートから外に出すカートリッジ。
【請求項２】
請求項１記載のカートリッジであって、更に、蓋の下に位置し、上記第１の室内において上記インレットポートからの熱した液体を放散させるバッフル手段を備えるカートリッジ。
【請求項３】
請求項２記載のカートリッジであって、上記バッフル手段が、上記インレットポートにその中心が並んでいる円盤を備え、その上面が上記中心から放散する溝により区画されているカートリッジ。
【請求項４】
請求項１記載のカートリッジであって、上記フィルタが上記ハウジング内に取り外し可能に受容されるカートリッジ。
【請求項５】
請求項１記載のカートリッジであって、上記フィルタが、上記頂部開口を縁取る環状張出上に支持されるよう構成及び寸法設定された環状周縁リップを含むカートリッジ。
【手続補正書】
【提出日】平成16年1月14日(2004.1.14)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
一連のゴルフボールを送出し位置に指向させるゴルフボール供給路と、供給路にゴルフボールを重力供給するべく配置されたホッパーと、ホッパー内のゴルフボールの少なくとも一部を転位させるべくホッパーと供給路に対して配置されてホッパー内のゴルフボールを選択的に打球する揺動体と、供給路に連結されたゴルフボール収受域とゴルフボール位置付け域と収受域から位置付け域へ延在する傾斜域とを有した一体構造の個別分離アームと、個別分離アームを自動的に操作して引渡し位置と待機位置との間を移動させる駆動ユニットとを有してなり、揺動体はソレノイド駆動体であってかつホッパーと供給路との交差点の近くの領域でゴルフボールを打球すべく配置されており、個別分離アームが引渡し位置と待機位置とを有しており、個別分離アームが引渡し位置にあるときにいかなる方向へのゴルフボールの水平運動も禁止するべく位置付け域が構成されていることを特徴とするゴルフボールティーアップ装置。
【請求項４】
ソレノイド駆動体を励動しかつ引渡し位置と待機位置との間で個別分離アームを操作する制御回路が設けられており、該制御回路が駆動ユニットの励動毎にソレノイド駆動体を励動して，ゴルフボールを引き渡すことを特徴とする請求項１に記載の装置。
【請求項５】
個別分離アームが傾斜域に亙って横断面が一定の湾曲を有しており、該湾曲が収受域から位置付け域へ移動するゴルフボールを保持するように選択されており、個別分離アームが引渡し位置にあるときに見ると傾斜域が開口上領域を有していることを特徴とする請求項１に記載の装置。
【請求項６】
個別分離アームの位置付け域がティーと協働してゴルフボールをティー上に位置付けし、位置付け域がゴルフボールの通過のための開口下部を画定するとともに傾斜域の湾曲に沿った側部を有していることを特徴とする請求項５に記載の装置。
【請求項７】
駆動ユニットが個別分離アームに連結されたモーターを有していて個別分離アームを垂直の待機位置から引渡し位置へ軸転させ、引渡し位置において個別分離アームが収受域から位置付け域へ下方に傾斜されることを特徴とする請求項６に記載の装置。
【請求項８】
個別分離アームの収受域にストッパーが配置されており、個別分離アームが引渡し位置に軸転されたときに供給路に沿って該ストッパーが最先端のゴルフボールと次のゴルフボールの間に延在するように配置構成されており、これにより次のゴルフボールが最先端のゴルフボールに続くのを阻止することを特徴とする請求項７に記載の装置。
【請求項９】
個別分離アームが引渡し位置に軸転されたときに次のゴルフボールを変位させるようにストッパーが配置されていることを特徴とする請求項８に記載の装置。
【請求項１１】
傾斜域を介してゴルフボール位置付け域端に連結された収受域端を具えた個別分離アームを単一の材料片から形成し、個別分離アームを供給路に連結して個別分離アームが上昇位置にあるときには供給路を閉鎖しかつ個別分離アームが下降位置にあるときには個別分離アームとゴルフボール移転関係にあるようにし、個別分離アームを上昇位置と下降位置との間で選択的に軸転させてゴルフボールを引渡し、ゴルフボールが個別分離アームの軸転により引き渡されたことを感知するとそれに反応して供給路に沿ってゴルフボール打球機構を始動し、該打球機構が電気的に励動されることを特徴とする一連のゴルフボールを自動的にティーアップする方法。
【請求項１２】
さらに個別分離アームの下降位置への軸転毎にゴルフボールがティー上に位置付けされるように個別分離アームに対してティーを配置することを特徴とする請求項１１に記載の方法。
【請求項１３】
さらにティー上にゴルフボールがないときにはこれを光学的に感知し、この光学的感知に反応して個別分離アームが選択的に軸転することを特徴とする請求項１２に記載の方法。
【請求項１４】
打球機構を始動するに際して，ホッパーからのゴルフボールが単一送り運動を制限されるホッパーが重力供給傾斜域に会合する領域の近くにプランジャーを配置することを特徴とする請求項１１に記載の方法。
【請求項１５】
打球機構を始動するに際してソレノイドを選択的に励動し、ホッパーがゴルフボール集団を含んでいるときに、少なくとも２個のゴルフボールを追出す方向に該ソレノイドがプランジャーを変位させることを特徴とする請求項１４に記載の方法。
【請求項１６】
個別分離アームが上昇位置から下降位置に軸転されるときに供給路の下端にある次のゴルフボールを後方に変位させ、該下端が個別分離アームに近い供給路の端部であって、次のゴルフボールが引き渡されるゴルフボールに続くものであることを特徴とする請求項１４に記載の方法。
【請求項１７】
後方への変位が個別分離アームに連結されたストッパーにより行われ、複数のゴルフボールが下降位置に軸転される個別分離アームに入るのを防止すべく該ストッパーが配置されていることを特徴とする請求項１６に記載の方法。
【手続補正書】
【提出日】平成16年11月19日(2004.11.19)
【手続補正１】
【補正対象書類名】特許請求の範囲
【補正対象項目名】全文
【補正方法】変更
【補正の内容】
【特許請求の範囲】
【請求項１】
基板上に第１のコーティング組成物および第２のコーティング組成物をコーティングする工程であって、前記第１のコーティング組成物が前記基板と前記第２のコーティング組成物との間に配置され、前記第１のコーティング組成物および前記第２のコーティング組成物の組成が異なり、それぞれがコレステリック液晶化合物およびコレステリック液晶モノマーから選択される少なくとも１種類のコレステリック液晶材料を含む工程と、
前記第２のコーティング組成物の少なくとも一部を前記第１のコーティング組成物と相互拡散させる工程と、
前記基板上の前記第１の液晶組成物と前記基板上で前記第２の液晶組成物の少なくとも一部を相互拡散させた後、前記第１のコーティング組成物および前記第２のコーティング組成物から少なくとも１層のコレステリック液晶層を形成する工程と、を含む光学本体の作製方法。
【請求項２】
前記第１のコーティング組成物および前記第２のコーティング組成物をコーティングする前記工程が、前記第１のコーティング組成物および前記第２のコーティング組成物を同時にコーティングする工程を含む請求項１に記載の方法。
【請求項３】
前記第１のコーティング組成物および前記第２のコーティング組成物を同時にコーティングする前記工程が、スライドコーティング、カーテンコーティング、押出バーコーティングおよびそれらの組合せから選択される技術を用いて、前記基板上に前記第１のコーティング組成物および前記第２のコーティング組成物を同時にコーティングする工程を含む請求項２に記載の方法。
【請求項４】
少なくとも１層のコレステリック液晶層を形成する前記工程が、前記コレステリック液晶層のピッチが前記少なくとも１層のコレステリック液晶層の厚さ寸法の少なくとも一部に沿って、実質的に連続的に変化する少なくとも１層のコレステリック液晶層を形成する工程をさらに含む請求項１に記載の方法。
【請求項５】
前記第１のコーティング組成物が第１の溶媒をさらに含み、前記第２のコーティング組成物が第２の溶媒をさらに含み、少なくとも１層のコレステリック液晶層を形成する前記工程が前記第１の溶媒および前記第２の溶媒の実質的にすべてを除去する工程を含む請求項１に記載の方法。
【請求項６】
前記第１のコーティング組成物の前記少なくとも１種類のコレステリック液晶材料が第１の液晶モノマーを含み、前記第２のコーティング組成物の前記少なくとも１種類のコレステリック液晶材料が第２の液晶モノマーを含み、少なくとも１層のコレステリック液晶層を形成する前記工程が前記第１の液晶モノマーおよび前記第２の液晶モノマーを重合して、第１の液晶化合物および第２の液晶化合物を形成する工程を含む請求項１に記載の方法。
【請求項７】
前記第２のコーティング組成物上に第３のコーティング組成物をコーティングする工程であり、前記第２のコーティング組成物および前記第３のコーティング組成物の組成が異なり、前記第３のコーティング組成物がコレステリック液晶およびコレステリック液晶モノマーから選択される少なくとも１種類のコレステリック液晶材料を含む工程と、
前記第３のコーティング組成物の少なくとも一部を前記第２のコーティング組成物と相互拡散させる工程と、
をさらに含む請求項１に記載の方法。
【請求項８】
コレステリック液晶層のピッチが、前記層の厚さ寸法に沿って、第１のピッチから始まり、第２のピッチまで増大し、第３のピッチまで減少し、第４のピッチまで増大するコレステリック液晶層を含む光学本体。
【請求項９】
ディスプレイ媒体と、
請求項７または８に記載の光学本体を含む反射偏光子と、を具備する光学ディスプレイ。
【請求項１０】
基板上に第１のコーティング組成物および第２のコーティング組成物をコーティングする工程であって、前記第１のコーティング組成物が前記基板と前記第２のコーティング組成物との間に配置され、前記第１のコーティング組成物および前記第２のコーティング組成物の組成が異なり、それぞれがコレステリック液晶化合物およびコレステリック液晶モノマーから選択される少なくとも１種類のコレステリック液晶材料を含む工程と、
前記第２のコーティング組成物の少なくとも一部を前記第１のコーティング組成物と相互拡散させる工程と、
請求項１〜６のいずれか１項に記載の光学本体を形成する工程と、
前記光学本体を含む反射偏光子を形成する工程と、
前記反射偏光子およびディスプレイ媒体を用いて液晶ディスプレイを作製する工程と、
を含む光学ディスプレイの作製方法。
【手続補正２】
【補正対象書類名】明細書
【補正対象項目名】００４７
【補正方法】変更
【補正の内容】
【００４７】
コーティング組成物４５２および４５４は、例えばアクリレートまたは他の光硬化可能な官能基などの例えば紫外硬化可能な官能基を有する化合物を含むことができる。このような化合物が存在するとき、例えば、紫外線ランプなどの１つ以上の放射線源（例えば、１つ以上の放射線源４５３、４５６、４５８、４６０）を用いて適切な光硬化エネルギーを印加することによって、層４５２と４５４との間の相互拡散を制御することができる。放射源４６０のみを用いることによって、より多くの相互拡散を可能にするためにより長い時間を提供することが可能となり、放射源４５３の利用によってより短い相互拡散時間を提供することが可能となる。放射線源４５３、４５６、４５８および４６０の強度を制御することによって、相互拡散の程度もまた制御してもよい。放射線源４５３、４５６、４５８および４６０のすべてを設ける必要があるとは限らず、必要に応じて、さらなる放射線源を設けることができることを十分に理解されたい。さらに、図１８に示されているランプの特定の数または位置は、例示に過ぎない。他の位置のより多くのランプまたはより少ないランプが、特定の状態に適していることが分かっている場合もある。
【手続補正３】
【補正対象書類名】図面
【補正対象項目名】図１８
【補正方法】変更
【補正の内容】
【図１８】
2004524563.tif 000001
【手続補正書】
【提出日】平成17年1月21日(2005.1.21)
【手続補正１】
【補正対象書類名】特許請求の範囲
【補正対象項目名】全文
【補正方法】変更
【補正の内容】
【特許請求の範囲】
【請求項１】
（ａ）光で酸を発生させる化合物、及び
（ｂ）ヒドロキシアダマンチル部分、重合させたノルボルネン基及び各々が光で酸を遊離する基を有する少なくとも２つの明確な単位を含むポリマー、
を含んで成るフォトレジスト組成物。
【請求項２】
（ａ）光で酸を発生させる化合物、及び
（ｂ）ヒドロキシアダマンチル部分、重合させたノルボルネン基及びラクトン基、
を含んで成るフォトレジスト組成物。
【請求項３】
ポリマーが少なくとも実質的に芳香族基を含んでいない、請求項１又は２に記載のフォトレジスト。
【請求項４】
ポリマーが一つ又はそれ以上のニトリル部分を含む、請求項１又は２に記載のフォトレジスト。